Podtech/llm-jp-corpus-v4-ja_patent huggingface dataset:
【手続補正書】
【提出日】平成28年3月14日(2016.3.14)
【手続補正１】
【補正対象書類名】特許請求の範囲
【補正対象項目名】全文
【補正方法】変更
【補正の内容】
【特許請求の範囲】
【請求項１】
経口投与のための医薬製剤であって、（ｉ）１２．５ｍｇまたは２５ｍｇのトランス−クロミフェンクエン酸塩であって、前記トランス−クロミフェンクエン酸塩が微粒子の形態であり、前記粒子が５〜２０ミクロンの間の平均粒子サイズを有し、前記粒子の少なくとも９０％が５０ミクロン未満のサイズを有するという点で特徴づけられる、トランス−クロミフェンクエン酸塩、ならびに（ｉｉ）１つまたは複数の薬学的に許容される担体、希釈剤または賦形剤、を含むかまたはそれらを使用して製剤化される、医薬製剤。
【請求項２】
前記トランス−クロミフェンクエン酸塩が非溶媒和結晶性形態である、請求項１に記載の医薬製剤。
【請求項３】
前記製剤が、カプセルである、請求項１または２に記載の医薬製剤。
【請求項４】
微結晶性セルロースおよび／またはステアリン酸マグネシウムをさらに含む、請求項１〜３のいずれか一項に記載の医薬製剤。
【請求項５】
前記医薬製剤が、約１２．５ｍｇのトランス−クロミフェンクエン酸塩、約８５．５ｍｇの微結晶性セルロースおよび約２．０ｍｇのステアリン酸マグネシウムを含むカプセルである、請求項４に記載の医薬製剤。
【請求項６】
ヒト男性における二次性性腺機能低下症の治療での使用のための、またはそれに関連する障害の治療のための、請求項１〜５のいずれか一項に記載の医薬製剤。
【請求項７】
前記二次性性腺機能低下症と関連する障害が、筋肉質量の減少、骨密度の減少、性的衝動の減少、精子減少症および無精子症から選択される、請求項６に記載の使用のための医薬製剤。
【請求項８】
ヒト女性における不妊の治療における使用のための、請求項１〜５のいずれか一項に記載の医薬製剤であって、好ましくは、５日連続の期間の間毎日の用量として無排卵女性へ投与される、医薬製剤。
【請求項９】
ヒト男性における２型糖尿病、
ヒト女性における乳癌、
ヒト女性における子宮内膜癌、子宮癌または卵巣癌、
を治療および／または予防する方法における使用のための、請求項１〜５のいずれか一項に記載の医薬製剤。
【手続補正２】
【補正対象書類名】明細書
【補正対象項目名】００１１
【補正方法】変更
【補正の内容】
【００１１】
微粒子形態のトランス−クロミフェンを含むか、またはそれを使用して製剤化された医薬組成物も提供される。組成物は、二次性性腺機能低下症、２型糖尿病、コレステロール上昇、トリグリセリド上昇、消耗症、リポジストロフィ、女性不妊および男性不妊、良性前立腺肥大症、前立腺癌、乳癌、子宮癌ならびに卵巣癌を限定されずに含む多様な障害の治療のために使用される。
本発明は、例えば、以下の項目も提供する。
（項目１）
化合物が微粒子の形態であり、前記粒子が約３０ミクロン未満の平均粒子サイズを有し、前記粒子の少なくとも約９０％が約５０ミクロン未満のサイズを有するという点で特徴づけられる、化合物トランス−クロミフェンならびにその薬学的に許容される塩および溶媒和物。
（項目２）
前記粒子が、約５〜約２０ミクロンの間の平均粒子サイズを有する、項目１に記載の化合物。
（項目３）
非溶媒和結晶性形態である、項目１に記載の化合物。
（項目４）
前記化合物が、トランス−クロミフェンクエン酸塩である、項目１〜３のいずれか一項に記載の化合物。
（項目５）
項目１に記載の化合物および１つまたは複数の薬学的に許容される担体、希釈剤または賦形剤を含むか、またはそれらを使用して製剤化された、医薬製剤。
（項目６）
前記化合物が、トランス−クロミフェンクエン酸塩である、項目５に記載の医薬製剤。
（項目７）
前記製剤が、カプセルである、項目５または６のいずれか一項に記載の医薬製剤。
（項目８）
約５〜約１００ｍｇのトランス−クロミフェンクエン酸塩を含む、項目７に記載の医薬製剤。
（項目９）
１２．５ｍｇ、２５ｍｇまたは５０ｍｇのトランス−クロミフェンクエン酸塩を含む、項目８に記載の医薬製剤。
（項目１０）
微結晶性セルロースおよび／またはステアリン酸マグネシウムをさらに含む、項目５〜９のいずれか一項に記載の医薬製剤。
（項目１１）
各々のカプセルが、約１２．５ｍｇのトランス−クロミフェンクエン酸塩、約８５．５ｍｇの微結晶性セルロースおよび約２．０ｍｇのステアリン酸マグネシウムを含む、項目１０に記載の医薬製剤。
（項目１２）
ヒト男性における二次性性腺機能低下症の治療での使用のための、またはそれに関連する障害の治療のための、項目５〜１１のいずれか一項に記載の医薬製剤。
（項目１３）
前記二次性性腺機能低下症と関連する障害が、筋肉質量の減少、骨密度の減少、性的衝動の減少、精子減少症および無精子症から選択される、項目１２に記載の使用のための医薬製剤。
（項目１４）
ヒト女性における不妊の治療における使用のための、項目５〜１１のいずれか一項に記載の医薬製剤。
（項目１５）
前記製剤が、５日連続の期間の間毎日の用量として無排卵女性へ投与される、項目１４に記載の使用のための医薬製剤。
（項目１６）
ヒト男性における２型糖尿病を治療および／または予防する方法における使用のための、項目５〜１１のいずれか一項に記載の医薬製剤。
（項目１７）
ヒト女性における乳癌の治療または予防のための、項目５〜１１のいずれか一項に記載の医薬製剤。
（項目１８）
ヒト女性における子宮内膜癌、子宮癌または卵巣癌の治療のための、項目５〜１１のいずれか一項に記載の医薬製剤。
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
Ｆａｂドメインと、
１つ以上のＦｃドメインと、
１つ以上の多量体化ドメインと、
を備えるストラドボディであって、
前記１つ以上の多量体化ドメインが、２つのＦｃドメインを分離するか、前記１つ以上のＦｃドメインのカルボキシ末端に位置し、
前記１つ以上の多量体化ドメインが、当該ストラドボディを多量体化する、
ストラドボディ。
【請求項２】
前記１つ以上の多量体化ドメインが、独立して、イソロイシンジッパー、ＩｇＧ２ヒンジ、及びＧＰＰ反復からなる群から選択される、請求項１に記載のストラドボディ。
【請求項３】
当該ストラドボディが、少なくとも１つのＩｇＧ２ヒンジドメインを備え、
前記ＩｇＧ２ヒンジドメインのアミノ酸配列が、配列番号３に少なくとも８０％の相同であり、
前記ＩｇＧ２ヒンジが、当該ストラドボディを多量体化する、
請求項１に記載のストラドボディ。
【請求項４】
当該ストラドボディが、少なくとも１つのイソロイシンジッパーを備え、
前記少なくとも１つのイソロイシンジッパーのアミノ酸配列が、配列番号３２に少なくとも８０％相同であり、
前記イソロイシンジッパーが、当該ストラドボディを多量体化する、
請求項１に記載のストラドボディ。
【請求項５】
当該ストラドボディが、１つのＦｃドメインを備え、
多量体化ドメインが、前記Ｆｃドメインのカルボキシ末端に位置する、
請求項１に記載のストラドボディ。
【請求項６】
当該ストラドボディが２つの多量体化ドメインを備える、請求項１に記載のストラドボディ。
【請求項７】
前記２つの多量体化ドメインが、イソロイシンジッパー及びＩｇＧ２ヒンジ、又はＩｇＧ２ヒンジ及びＧＰＰ反復である、請求項６に記載のストラドボディ。
【請求項８】
前記２つの多量体化ドメインが、２つのＦｃドメインを分離する、請求項７に記載のストラドボディ。
【請求項９】
前記２つの多量体化ドメインが、前記１つ以上のＦｃドメインのカルボキシ末端に位置する、請求項７に記載のストラドボディ。
【請求項１０】
前記少なくとも１つのＦｃドメインが、ＩｇＧ１  Ｆｃドメインであり、
前記ＩｇＧ１  Ｆｃドメインが、ＩｇＧ１  ＣＨ２、及びＩｇＧ１  ＣＨ３を備える、
請求項１に記載のストラドボディ。
【請求項１１】
前記少なくとも１つのＩｇＧ１  Ｆｃドメインのアミノ酸配列が、配列番号２に少なくとも８０％相同である、請求項１０に記載のストラドボディ。
【請求項１２】
当該ストラドボディが、アミノ末端からカルボキシ末端にかけて、
（ａ）Ｆａｂドメインと、
（ｂ）第１のＦｃドメインと、
（ｃ）イソロイシンジッパーと、
（ｄ）ＩｇＧ２ヒンジと、
（ｅ）第２のＦｃドメインと、
を備える、請求項１に記載のストラドボディ。
【請求項１３】
当該ストラドボディが、アミノ末端からカルボキシ末端にかけて、
（ａ）Ｆａｂドメインと、
（ｂ）第１のＦｃドメインと、
（ｃ）ＩｇＧ２ヒンジと、
（ｄ）第２のＦｃドメインと、
を備える、請求項１に記載のストラドボディ。
【請求項１４】
当該ストラドボディが、アミノ末端からカルボキシ末端にかけて、
（ａ）Ｆａｂドメインと、
（ｂ）Ｆｃドメインと、
（ｃ）イソロイシンジッパーと、
（ｄ）ＩｇＧ２ヒンジと、
を備える、請求項１に記載のストラドボディ。
【請求項１５】
前記Ｆａｂドメインが、ＥＧＦＲ、Ｈｅｒ２／ｎｅｕ、ＣＤ２０、ＲＳＶ  Ｆタンパク質、又はＴＮＦに特異的である、請求項１に記載のストラドボディ。
【請求項１６】
前記ストラドボディが、アミノ末端からカルボキシ末端にかけて、
（ａ）Ｆａｂドメインと、
（ｂ）Ｆｃドメインと、
（ｃ）ＩｇＧ２ヒンジと、
（ｄ）イソロイシンジッパーと、
を備える、請求項１に記載のストラドボディ。
【請求項１７】
前記ストラドボディが、アミノ末端からカルボキシ末端にかけて、
（ａ）Ｆａｂドメインと、
（ｂ）Ｆｃドメインと、
（ｃ）ＩｇＧ２ヒンジと、
を備える、請求項１に記載のストラドボディ。
【請求項１８】
前記ストラドボディが、アミノ末端からカルボキシ末端にかけて、
（ａ）Ｆａｂドメインと、
（ｂ）Ｆｃドメインと、
（ｃ）イソロイシンジッパーと、
を備える、請求項１に記載のストラドボディ。
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
ウコンの薬学的に受容可能な液体抽出物を有する処方物を調製する方法であって、以下：
ウコン根の少なくとも一部を、効果的な時間にわたり、
クルクミン、デメトキシクルクミンおよびビスデメトキシクルクミンを含むフェノールのジケトンと混和可能であって；かつ
少なくとも４９，７００ｍｇ／ｋｇのＬＤ５０を有する急性の経口毒性を有し、フェノールのジケトンのためのキャリアとして薬学的に受容可能である；
少なくとも実質的に非毒性の抽出溶媒に浸漬して柔らかくすること
ここで、浸漬して柔らかくすることは、ウコン根の一部を前記抽出溶媒で覆うことを含む；
抽出溶媒を、浸漬して柔らかくなったウコン根から分離して、ウコンの液体抽出物を生成すること、ここで液体抽出物はクルクミンを含む；および
前記液体抽出物を少なくともエタノールよりも実質的に毒性が低い少なくとも４９，７００ｍｇ／ｋｇのＬＤ５０を有する急性の経口毒性を有するキャリアである抽出溶媒の除去を必要とせずに直接処方物に組み込むこと
を含む、前記方法。
【請求項２】
抽出溶媒がTWEEN 80 HPを含む、請求項１に記載の方法。
【請求項３】
抽出溶媒がミリスチン酸イソプロピルを含む、請求項１に記載の方法。
【請求項４】
方法が、液体抽出物を乳化することを含み、乳化が、薬学的に受容可能なオイルを液体抽出物に添加して、液体抽出物のエマルジョンを生成することを含む、請求項１に記載の方法。
【請求項５】
方法が、液体抽出物を乳化することを含み、乳化が、エマルジェントを液体抽出物に添加して、液体抽出物のエマルジョンを生成することを含む、請求項１に記載の方法。
【請求項６】
薬学的に受容可能なオイルが綿実油を含む、請求項４に記載の方法。
【請求項７】
処方物を対象の組織の炎症を処置するための投与形態に入れることをさらに含む、請求項１に記載の方法。
【請求項８】
組織が皮膚組織である、請求項７に記載の方法。
【請求項９】
組織が粘膜組織である、請求項７に記載の方法。
【請求項１０】
組織が胃腸管組織である、請求項７に記載の方法。
【請求項１１】
処方物を対象の組織の炎症を処置するための投与形態に入れることをさらに含む、請求項４に記載の方法。
【請求項１２】
組織が皮膚組織である、請求項１１に記載の方法。
【請求項１３】
組織が粘膜組織である、請求項１１に記載の方法。
【請求項１４】
組織が胃腸管組織である、請求項１１に記載の方法。
【請求項１５】
処方物を対象の組織の炎症を処置するための投与形態に入れることをさらに含む、請求項５に記載の方法。
【請求項１６】
組織が皮膚組織である、請求項１５に記載の方法。
【請求項１７】
組織が粘膜組織である、請求項１５に記載の方法。
【請求項１８】
組織が胃腸管組織である、請求項１５に記載の方法。
【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
対応する（２Ｒ，３Ｒ）／（２Ｓ，３Ｓ）ラセミ体が富化された式（Ｉ）：
【化１】
2015527345.tif 000001
（式中、Ｒ１およびＲ２は、各々、フッ化物または水素であり、Ｒ１がフッ化物である場合はＲ２は水素であり、Ｒ２がフッ化物である場合はＲ１は水素であり、式中、Ｒは、Ｃ１〜Ｃ１２アルキル、Ｃ５〜Ｃ１２アリールまたはＣ６〜Ｃ１１アラルキルである）に従う３−ヒドロキシ−２−メチル−４−［１，２，４］トリアゾール−１−イル−３−フェニル−酪酸エステル誘導体のジアステレオマーの混合物の製造方法であって、前記方法は、
（ｉ）溶媒の存在下における、前記溶媒の沸騰温度よりも低い温度での、式（ＩＩ）
【化２】
2015527345.tif 000002
（式中、Ｘは、臭化物、ヨウ化物または塩化物である）に従う２−ハロ亜鉛プロピオネートエステルの調製の工程と、
（ｉｉ）式（ＩＩＩ）
【化３】
2015527345.tif 000003
に従うケトンの導入の工程と、
（ｉｉｉ）溶媒の存在下において、式（ＩＩ）に従う前記２−ハロ亜鉛プロピオネートエステルと式（ＩＩＩ）に従う前記ケトンとの間のレフォルマトスキー反応を行い、
結果として生じる反応混合物が、前記混合物への最後の試薬の添加後０．５時間より長い間、好ましくは２時間より長い間、攪拌しながらまたは攪拌せずに、前記混合物を放置しておくことによって、沈殿物を形成することを可能にし（ここで、前記沈殿物は、式（Ｉ）に従うラセミ体（２Ｒ，３Ｒ）／（２Ｓ，３Ｓ）エステルが富化されている）、
前記沈殿物を分離する工程と
を含み、工程（ｉ）および（ｉｉ）が行われる順序は入れ替えられ得、前記沈殿物の形成の前に過剰な亜鉛が除去される、方法。
【請求項２】
式（Ｉ）中のＲ１がフッ化物であり、かつＲ２が水素である、請求項１に記載の方法。
【請求項３】
式（ＩＩ）中のＲがエチルであり、かつ／または式（ＩＩ）中のＸが臭化物である、請求項１または２に記載の方法。
【請求項４】
工程（ｉ）における前記温度が、−１０℃〜４０℃の間である、請求項１〜３のいずれか一項に記載の方法。
【請求項５】
前記温度が、−１０℃〜１０℃の間である、請求項４に記載の方法。
【請求項６】
工程（ｉｉｉ）における温度が、前記溶媒の沸騰温度より低い、請求項１〜５のいずれか一項に記載の方法。
【請求項７】
工程（ｉ）が、工程（ｉｉ）の前に行われる、請求項１〜６のいずれか一項に記載の方法。
【請求項８】
工程（ｉ）および／または工程（ｉｉｉ）における前記溶媒が、極性非プロトン性溶媒である、請求項１〜７のいずれか一項に記載の方法。
【請求項９】
前記溶媒が、テトラヒドロフラン、２−メチル−テトラヒドロフラン、ｔｅｒｔブチルメチルエーテル、ジ−イソプロピルエーテル、ジ−エチルエーテル、アセトニトリル、酢酸エチル、ジクロロメタンまたはトルエンである、請求項８に記載の方法。
【請求項１０】
工程（ｉ）の前記２−ハロ亜鉛プロピオネートエステルが、２−ハロプロピオネートエステルと金属亜鉛との反応によって得られる、請求項１〜９のいずれか一項に記載の方法。
【請求項１１】
工程（ｉｉｉ）で得られた前記沈殿物を有機溶媒で溶解および／または抽出し、前記溶液中の前記（２Ｒ，３Ｒ）／（２Ｓ，３Ｓ）ジアステレオマーを分割して、式（Ｉ）の前記エステルの所望の（２Ｒ，３Ｒ）エナンチオマー
【化４】
2015527345.tif 000004
が富化された生成物を得ることが後に続く、請求項１〜１０のいずれか一項に記載の方法。
【請求項１２】
エステラーゼ酵素を用いて式（Ｉ）に従う前記エステルの前記ジアステレオマーの酵素的分割が行われる、請求項１１に記載の方法。
【請求項１３】
前記エステラーゼ酵素が、配列番号４に示されるアミノ酸配列または少なくとも９５％、好ましくは少なくとも９８％のアミノ酸同一性を有するそのホモログを含む、エステラーゼ活性を有する単離ポリペプチドである、請求項１２に記載の方法。
【請求項１４】
前記エステラーゼ酵素が、配列番号２に示されるアミノ酸配列または少なくとも９５％のアミノ酸同一性を有するそのホモログを含む、エステラーゼ活性を有する単離ポリペプチドであり、前記ホモログは、２３９位またはそれに対応する位置におけるアミノ酸としてバリンを含有する、請求項１２に記載の方法。
【請求項１５】
前記ホモログが、少なくとも９８％、好ましくは少なくとも９９％のアミノ酸同一性を有しており、かつ配列番号２に従うアミノ酸配列の２３９位またはそれに対応する前記ホモログの配列の位置におけるアミノ酸としてバリンを含有する、請求項１４に記載の方法。
【請求項１６】
エステラーゼ活性を有する前記単離ポリペプチドが、配列番号２に示される前記アミノ酸配列を含む、請求項１４または１５に記載の方法。
【請求項１７】
エステラーゼ活性を有する前記単離ポリペプチドが、配列番号２に示される前記アミノ酸配列である、請求項１６に記載の方法。
【請求項１８】
ｔｅｒｔ−ブタノール、酢酸ｔｅｒｔブチル、メチルイソブチルケトンおよびトルエンから選択される有機補助溶媒が、前記酵素的分割において使用される、請求項１４〜１７のいずれか一項に記載の方法。
【請求項１９】
工程（ｉｖ）で得られた式（Ｉ）の前記エステルの前記所望の（２Ｒ，３Ｒ）エナンチオマーが富化された前記生成物を、アンモニアでの処理によって対応するアミドに変換することが後に続く、請求項１１〜１８のいずれか一項に記載の方法。
【請求項２０】
前記アミドを脱水して対応するシアニドにすることが後に続く、請求項１９に記載の方法。
【請求項２１】
前記シアニドを対応するチオアミドに変換し、任意選択で、前記チオアミドを、α−ケト置換４−シアノアセトフェノン試薬との反応によって、前記チオアミドのフェニル部分が２，５−ジフルオロ置換されている場合はイサブコナゾールに、前記チオアミドのフェニル部分が２，４−ジフルオロ置換されている場合はラブコナゾールにさらに変換することが後に続く、請求項２０に記載の方法。
【請求項２２】
ＧＣにより決定される場合に９７％〜９９．９％の間、好ましくは９９％〜９９．９％の間のジアステレオマー過剰率で（２Ｒ，３Ｒ）／（２Ｓ，３Ｓ）エステルのラセミ混合物を含む、式（Ｉ）：
【化５】
2015527345.tif 000005
（式中、Ｒ１およびＲ２は、各々、フルオロまたは水素であり、Ｒ１がフルオロである場合はＲ２は水素であり、Ｒ２がフルオロである場合はＲ１は水素であり、式中、Ｒは、Ｃ１〜Ｃ１２アルキル、Ｃ５〜Ｃ１２アリールまたはＣ６〜Ｃ１１アラルキルである）の３−ヒドロキシ−２−メチル−４−［１，２，４］トリアゾール−１−イル−３−フェニル−酪酸エステルジアステレオマーの混合物。
【請求項２３】
式（Ｉ）：
【化６】
2015527345.tif 000006
（式中、Ｒは、Ｃ１〜Ｃ１２アルキルまたはＣ５〜Ｃ１２アリールであり、
Ｒ１は、フルオロであり、
Ｒ２は、水素である）に従う（２Ｒ，３Ｒ）−３−ヒドロキシ−２−メチル−４−［１，２，４］トリアゾール−１−イル−３−フェニル−酪酸エステル誘導体。
【手続補正書】
【提出日】平成28年7月2日(2016.7.2)
【手続補正１】
【補正対象書類名】特許請求の範囲
【補正対象項目名】全文
【補正方法】変更
【補正の内容】
【特許請求の範囲】
【請求項１】
マトリックスとプロバイオティクス細菌とを含んでなり、前記マトリックスが、カゼインおよびキトサンからなり、キトサン：カゼインが、重量比で１：５〜１５０であることを特徴とする、微粒子。
【請求項２】
架橋剤をさらに含んでなる、請求項１に記載の微粒子。
【請求項３】
前記プロバイオティクス細菌が、Ｂｉｆｉｄｏｂａｃｔｅｒｉｕｍ属またはＬａｃｔｏｂａｃｉｌｌｕｓ属の細菌である、請求項１または２に記載の微粒子。
【請求項４】
カゼインまたはカゼイン源、プロバイオティクス細菌、およびキトサンを混合することを含んでなる、請求項１〜３のいずれか一項に記載の微粒子を得るための方法。
【請求項５】
架橋剤を加えることをさらに含んでなる、請求項４に記載の方法。
【請求項６】
得られた微粒子を含有する懸濁物を乾燥させることをさらに含んでなる、請求項４または５に記載の方法。
【請求項７】
請求項４〜６のいずれか一項に記載の方法を用いて得ることができる、微粒子。
【請求項８】
請求項１〜３または７のいずれか一項に記載の複数の微粒子を含んでなる、組成物。
【請求項９】
４０〜６０重量％のカゼイン、０．１〜３．５重量％のキトサン、１０９ＣＦＵ／ｇ〜５×１０１２ＣＦＵ／ｇのプロバイオティクス細菌、０〜０．１５重量％のトリポリリン酸ナトリウムおよび０重量％〜６０重量％の保護剤を含んでなり、重量比が組成物の合計重量基準である組成物Ａ；
４０〜６０重量％のカゼイン、０．１％〜３．５重量％のキトサン、１０９ＣＦＵ／ｇ〜５×１０１２ＣＦＵ／ｇのプロバイオティクス細菌、０〜０．６重量％のバニリンおよび０〜６０重量％の保護剤を含んでなり、重量比が組成物の合計重量基準である組成物Ｂ；
４０％〜６０重量％のカゼイン、０．１〜３．５重量％のキトサン、１０９ＣＦＵ／ｇ〜５×１０１２ＣＦＵ／ｇのプロバイオティクス細菌、０〜１０重量％のＣａ２＋および０〜６０重量％の保護剤を含んでなり、重量比が組成物の合計重量基準である組成物Ｃ
から選択される、請求項８に記載の組成物。
【請求項１０】
前記微粒子が乾燥粉末の形態である、請求項８または９に記載の組成物。
【請求項１１】
請求項１〜３のいずれか一項または請求項７に記載の少なくとも１つの微粒子、または請求項８〜１０のいずれか一項に記載の組成物を含んでなる、食品、医薬品、化粧品または機能性食品の製品。
【請求項１２】
請求項１〜３のいずれか一項または請求項７に記載の微粒子、請求項８〜１０のいずれか一項に記載の組成物、または請求項１１に記載の製品を含んでなる、免疫系調整組成物。
【請求項１３】
免疫系の機能障害を予防および／または治療するための経口組成物である、請求項１２に記載の免疫系調整組成物。
【請求項１４】
−Ｔｈ２が介在する移植拒絶反応、
−アレルギーおよびアレルギー関連疾患、
−免疫不全および前記免疫不全から誘導される病状、
−細胞内病原体によって引き起こされる感染、または
−粘膜感染
を予防および／または治療するための経口組成物である、請求項１２に記載の免疫系調整組成物。
【請求項１５】
粘膜感染を予防および／または治療するための経口組成物である、請求項１２に記載の免疫系調整組成物。
【請求項１６】
免疫系調整組成物の製造のための、請求項１〜３のいずれか一項または請求項７に記載の微粒子、請求項８〜１０のいずれか一項に記載の組成物、または請求項１１に記載の製品の使用。
【手続補正書】
【提出日】平成28年7月8日(2016.7.8)
【手続補正１】
【補正対象書類名】特許請求の範囲
【補正対象項目名】全文
【補正方法】変更
【補正の内容】
【特許請求の範囲】
【請求項１】
式Ａｂ−（Ｌ−Ｄ）ｐで表される免疫複合体であって、式中、
（ａ）Ａｂが、抗体であり、
（ｂ）Ｌが、リンカーであり、
（ｃ）Ｄが、細胞傷害性薬剤であり；かつ
（ｄ）ｐが、１〜８の範囲であり；
Ｄが、
2015527319.tif 000001
から選択される構造を有し、かつ
Ａｂが、配列番号２８のアミノ酸２０〜２４０内のエピトープに結合する、細胞傷害性薬剤に共有結合されたＣＤ２２に結合する抗体である、
免疫複合体。
【請求項２】
抗体が、
ａ）（ｉ）配列番号９のアミノ酸配列を含むＨＶＲ−Ｈ１、（ｉｉ）配列番号１０のアミノ酸配列を含むＨＶＲ−Ｈ２、（ｉｉｉ）配列番号１１のアミノ酸配列を含むＨＶＲ−Ｈ３、（ｉｖ）配列番号１２および１５〜２２から選択されるアミノ酸配列を含むＨＶＲ−Ｌ１、（ｖ）配列番号１３のアミノ酸配列を含むＨＶＲ−Ｌ２、および（ｖｉ）配列番号１４のアミノ酸配列を含むＨＶＲ−Ｌ３、または
ｂ）（ｉ）配列番号９のアミノ酸配列を含むＨＶＲ−Ｈ１、（ｉｉ）配列番号１０のアミノ酸配列を含むＨＶＲ−Ｈ２、（ｉｉｉ）配列番号１１のアミノ酸配列を含むＨＶＲ−Ｈ３、（ｉｖ）配列番号１５のアミノ酸配列を含むＨＶＲ−Ｌ１、（ｖ）配列番号１３のアミノ酸配列を含むＨＶＲ−Ｌ２、および（ｖｉ）配列番号１４のアミノ酸配列を含むＨＶＲ−Ｌ３、または
ｃ）配列番号７のアミノ酸配列に対して少なくとも９５％の配列同一性を有するＶＨ配列、または
ｄ）配列番号８のアミノ酸配列に対して少なくとも９５％の配列同一性を有するＶＬ配列、または
ｅ）（ｃ）のＶＨ配列および（ｄ）のＶＬ配列、または
ｆ）配列番号７のアミノ酸配列を有するＶＨ配列、および配列番号８のアミノ酸配列を有するＶＬ配列、
を含む、請求項１に記載の免疫複合体。
【請求項３】
前記リンカーが、プロテアーゼによって切断可能であり、任意選択的にｖａｌ−ｃｉｔジペプチドを含む、請求項１又は２に記載の免疫複合体。
【請求項４】
前記リンカーが、酸不安定性であり、任意選択的にヒドラゾンを含む、請求項１又は２に記載の免疫複合体。
【請求項５】
式
2015527319.tif 000002
2015527319.tif 000003
から選択される式を有し、式中、Ｒ１およびＲ２は、独立して、ＨおよびＣ１〜Ｃ６アルキルから選択される、請求項１又は２に記載の免疫複合体。
【請求項６】
抗体が、配列番号７のＶＨ配列および配列番号８のＶＬ配列を含む、請求項５に記載の免疫複合体。
【請求項７】
抗体が、配列番号２６の重鎖および配列番号２３の軽鎖を含む、請求項５に記載の免疫複合体。
【請求項８】
請求項１〜７のいずれか１項に記載の免疫複合体と、薬学的に許容される担体とを含む、医薬製剤。
【請求項９】
ＣＤ２２陽性がんを有する個体を治療するための医薬の製造のための、請求項１〜７のいずれか１項に記載の免疫複合体または請求項８に記載の医薬製剤の、使用。
【請求項１０】
ＣＤ２２陽性がんが、リンパ腫、非ホジキンリンパ腫（ＮＨＬ）、侵攻性ＮＨＬ、再発性侵攻性ＮＨＬ、再発性緩慢性ＮＨＬ、難治性ＮＨＬ、難治性緩慢性ＮＨＬ、慢性リンパ球性白血病（ＣＬＬ）、小リンパ球性リンパ腫、白血病、有毛細胞白血病（ＨＣＬ）、急性リンパ球性白血病（ＡＬＬ）、バーキットリンパ腫、およびマントル細胞リンパ腫から選択される、請求項９に記載の使用。
【請求項１１】
ＣＤ２２陽性がんが、第１の治療薬に耐性であり、第１の治療薬が、第１の抗体および第１の細胞傷害性薬剤を含む第１の免疫複合体である、請求項９または１０に記載の使用。
【請求項１２】
第１の抗体が、ＣＤ７９ｂに結合する、請求項１１に記載の使用。
【請求項１３】
請求項１１または１２に記載の使用であって、第１の細胞傷害性薬剤と請求項１〜７のいずれか１項に記載の免疫複合体の細胞傷害性薬剤とは、異なる、使用。
【請求項１４】
第１の細胞傷害性薬剤は、ＭＭＡＥである、請求項１３に記載の使用。
【請求項１５】
ＣＤ２２陽性がんが、Ｐ−糖タンパク質（Ｐ−ｇｐ）を発現する、請求項９〜１４のいずれか一項に記載の使用。
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
医薬として用いるための、少なくとも１種類のＨＤＡＣ４サイレンシング剤と、式（Ｉ）：
【化１】
2015527316.tif 000001
（式中、
Ｒ’は、Ｈ又はアルキルであり；
Ｒ’’は、Ｈ又はアルコキシであり；
Ｒ１及びＲ２は、Ｈであるか、又は一緒にオキソを形成し；
Ｒ３及びＲ４は、独立してＨ若しくはＯＨであるか、又は一緒にオキソを形成し；
Ｒ５、Ｒ６、Ｒ６’、Ｒ７、及びＲ８は、独立して、Ｈ、アルキル、アルコキシ、ヒドロキシ、ヒドロキシルアルキル、アルコキシカルボニル、モノアルキルアミノ及びジアルキルアミノからなる群から選択され；
Ｘは、ＣＨ２又はＯであり；
ｎは、０又は１である）
の化合物、又は式（ＩＩ）
【化２】
2015527316.tif 000002
の化合物との組合せ。
【請求項２】
前記ＨＤＡＣ４サイレンシング剤が、ｓｉＲＮＡ分子、ＤｓｉＲＮＡ分子、人工ｍｉＲＮＡ前駆体、ｓｈＲＮＡ分子、アンチセンスオリゴヌクレオチド、及びリボザイムからなる群から選択される、請求項１に記載の組合せ。
【請求項３】
前記ＨＤＡＣ４サイレンシング剤が、配列番号１から１７０からなる群から選択される核酸配列を含む、請求項１に記載の組合せ。
【請求項４】
式（Ｉ）又は（ＩＩ）の前記化合物が、
【化３】
2015527316.tif 000003
からなる群から選択される、請求項１に記載の組合せ。
【請求項５】
脳がん、神経膠腫、星状細胞腫、及びグリア芽細胞腫からなる群から選択される過剰増殖性疾患の処置で用いるための、請求項１に記載の組合せ。
【請求項６】
前記ＨＤＡＣ４サイレンシング剤及び式（Ｉ）又は（ＩＩ）の前記化合物が、同時に、逐次に、又は別々に投与される、請求項１から５までのいずれか一項に記載の組合せ。
【請求項７】
請求項１から６までのいずれか一項に記載の組合せ、及び少なくとも１つの薬学的に許容される担体を含む医薬組成物。
【請求項８】
少なくとも１種類のＨＤＡＣ４サイレンシング剤を含む、過剰増殖性細胞を化学療法剤に対して感作させる医薬組成物。
【請求項９】
少なくとも１種類のＨＤＡＣ４サイレンシング剤を含む、化学療法剤と組合せて過剰増殖性疾患を処置する医薬組成物であって、該化学療法剤が、式（Ｉ）：
【化４】
2015527316.tif 000004
（式中、
Ｒ’は、Ｈ又はアルキルであり；
Ｒ’’は、Ｈ又はアルコキシであり；
Ｒ１及びＲ２は、Ｈであるか、又は一緒にオキソを形成し；
Ｒ３及びＲ４は、独立してＨ、ＯＨであるか、又は一緒にオキソを形成し；
Ｒ５、Ｒ６、Ｒ６’、Ｒ７、及びＲ８は、独立して、Ｈ、アルキル、アルコキシ、ヒドロキシ、ヒドロキシルアルキル、アルコキシカルボニル、モノアルキルアミノ及びジアルキルアミノからなる群から選択され；
Ｘは、ＣＨ２又はＯであり；
ｎは、０又は１である）
の化合物、又は式（ＩＩ）
【化５】
2015527316.tif 000005
の化合物を含み、該ＨＤＡＣ４サイレンシング剤と化学療法剤は、併用して、同時に、又は逐次に対象に投与される、医薬組成物。
【請求項１０】
前記ＨＤＡＣ４サイレンシング剤が、ｓｉＲＮＡ分子、ＤｓｉＲＮＡ分子、人工ｍｉＲＮＡ前駆体、ｓｈＲＮＡ分子、アンチセンスオリゴヌクレオチド、及びリボザイムからなる群から選択される、請求項８又は９に記載の医薬組成物。
【請求項１１】
前記ＨＤＡＣ４サイレンシング剤が、配列番号１から１７０からなる群から選択される核酸配列を含む、請求項８〜１０までのいずれか一項に記載の医薬組成物。
【請求項１２】
脳がん、神経膠腫、星状細胞腫、及びグリア芽細胞腫からなる群から選択される過剰増殖性疾患の処置のための、請求項８〜１１までのいずれか一項に記載の医薬組成物。
【請求項１３】
前記ＨＤＡＣ４サイレンシング剤及び式（Ｉ）の前記化合物が、同時に、逐次に、又は別々に投与される、請求項８から１２までのいずれか一項に記載の医薬組成物。
【手続補正２】
【補正対象書類名】明細書
【補正対象項目名】００１１
【補正方法】変更
【補正の内容】
【００１１】
一部の他の実施形態では、式（Ｉ）の化合物は、
【化２】
2015527316.tif 000006
からなる群から選択される。
【手続補正３】
【補正対象書類名】明細書
【補正対象項目名】００６１
【補正方法】変更
【補正の内容】
【００６１】
式（Ｉ）を有する化合物の非限定的な例には、表３に掲載されるスタウロスポリン（ＳＴＳ）、ＰＫＣ４１２、Ｋ２５２ａ、ＵＣＮ−０１、ＣＥＰ−７０１、及びＳＢ−２１８０７８が含まれる。
【表３−１】
2015527316.tif 000007
【表３−２】
2015527316.tif 000008
【表３−３】
2015527316.tif 000009
【手続補正書】
【提出日】平成28年8月23日(2016.8.23)
【手続補正１】
【補正対象書類名】特許請求の範囲
【補正対象項目名】全文
【補正方法】変更
【補正の内容】
【特許請求の範囲】
【請求項１】
単一細胞由来の複数の化合物の多重検出用装置であって、
均一な配置における複数の個々のマイクロウェルを含むマイクロウェルアレイであって、複数の個々のマイクロウェルの少なくとも一部は５０μｍを超える長さを有し、単離された単一細胞をサブナノリットルの内容に含むように構成されている、前記マイクロウェルアレイ；及び、
複数の固定化捕捉剤を含む捕捉剤アレイであって、各固定化補足剤は複数の化合物の１種と特異的に結合する能力を有し、固定化捕捉剤は均一な捕捉剤のセット内に配置され、各捕捉剤のセットは空間的に同定可能な位置で複数の分離フィーチャを有し、各分離フィーチャは少なくとも１種の固定化捕捉剤を含む、前記捕捉剤アレイ
を含み、
マイクロウェルアレイ及び捕捉剤アレイが連結して複数の閉鎖インターフェースを形成し、各閉鎖インターフェースは、各マイクロウェルの内容物が少なくとも１つのセットの分離フィーチャの全てにアクセス可能であり、それによって固定化捕捉剤の全てにアクセス可能であるようにマイクロウェル及び捕捉剤のセットを含む、前記装置。
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
サンプル液体中の検体の存在又は濃度を決定するための試験素子であって、以下の：
ａ）支持体上に配置された少なくとも１の作用電極と少なくとも１の対電極；
ｂ）前記少なくとも１の作用電極と前記少なくとも１の対電極の間にまたがり、且つ、電極反応のために構成されたドライフィルム試薬マトリックスであって、当該試薬マトリックスが、潮解性物質と、所望の電気化学反応を促進するために有効な１若しくは複数の有効成分とを含み、ここで当該潮解性物質が、塩化ナトリウム、硫酸マグネシウム、又はそれらの組合せであり、ここで、相対湿度が所定のレベルを超えているとき、前記潮解性物質が、大気中から水を先制的に吸収するように選択され、それに有効な量で提供され、そしてここで、当該潮解性物質が、約５０％の相対湿度〜約８０％の相対湿度の潮解点を有する、試験素子。
【請求項２】
前記潮解性物質が、約７５％の相対湿度の潮解点を有する、請求項１に記載の試験素子。
【請求項３】
前記試験素子が、グルコース測定器試験ストリップであり、ここで、所望の電気化学反応を促進するために有効な１又は複数の有効成分が、、少なくとも１の酵素システム及び少なくとも１のメディエーターを含むグルコース試薬マトリクスである、請求項１又は２に記載の試験素子。
【請求項４】
前記少なくとも１の酵素システムが、グルコースデヒドロゲナーゼ及びフラビンアデニンジヌクレオチド補因子を含んでいる、請求項３に記載の試験素子。
【請求項５】
前記少なくとも１のメディエーターが、ニトロソアニリンを含んでいる、請求項３又は４に記載の試験素子。
【請求項６】
前記ドライフィルム試薬マトリックスが、ポリビニールピロリドン（ＰＶＰ）及び／又はＰＶＰ含有物質を含んでいる塗膜形成要素をさらに含む、請求項１〜５のいずれか１項に記載の試験素子。
【請求項７】
大気中の相対湿度が約７５％を超えている場合に、前記潮解性物質が、試薬マトリックスの他の成分が大気中から水を吸収する速度より速い速度で大気中から水を吸収する、請求項１〜６のいずれか１項に記載の試験素子。
【請求項８】
相対湿度が潮解性物質の潮解点を超えているとき、他の試薬成分が大気から水を吸収する割合よりも早い割合で、大気から水を吸収する、請求項１〜７のいずれか１項に記載の試験素子。
【請求項９】
前記潮解性物質が、ドライフィルム試薬マトリックスの総重量に基づいて、約１重量％〜約１０重量％の量で存在する、請求項１〜８のいずれか１項に記載の試験素子。
【請求項１０】
前記潮解性物質が、ドライフィルム試薬マトリックスの総重量に基づいて、少なくとも約２重量％の量で存在する、請求項１〜９のいずれか１項に記載の試験素子。
【請求項１１】
前記潮解性物質が、塩化ナトリウムであり、そしてドライフィルム試薬マトリクスの総重量に基づいて、ドライフィルム試薬マトリクス中に約３．０重量％〜約６．０重量％の量で提供される、請求項１〜１０のいずれか１項に記載の試験素子。
【請求項１２】
前記潮解性物質が、硫酸マグネシウムであり、そしてドライフィルム試薬マトリックスの総重量に基づいて、ドライフィルム試薬マトリックス中に約３．０重量％〜約７．０重量％の量で提供される、請求項１〜１０のいずれか一項に記載の試験素子。
【請求項１３】
空気中の湿気による試薬成分の分解に関してバイオセンサ試験素子の安定性を改善する方法であって、
支持体上に配置された少なくとも１の作用電極と少なくとも１の対電極、及び作用電極と対電極の間にまたがり、且つ、電極反応のために構成されたドライフィルム試薬マトリックスを含む試験素子を提供し；
ここで当該ドライフィルム試薬マトリックスが、ドライフィルム試薬マトリックスの他の成分による空気中からの水の吸収を減らすために有効な量で潮解性物質を含み、そしてここで当該潮解性物質が、塩化ナトリウム、硫酸マグネシウム、又はそれらの組合せである、方法。
【請求項１４】
前記潮解性物質が、塩化ナトリウムであり、そしてドライフィルム試薬マトリクスの総重量に基づいて、ドライフィルム試薬マトリクス中に約３．０重量％〜約６．０重量％の量で提供される、請求項１３に記載の試験素子。
【請求項１５】
前記潮解性物質が、硫酸マグネシウムであり、そしてドライフィルム試薬マトリックスの総重量に基づいて、ドライフィルム試薬マトリックス中に約３．０重量％〜約７．０重量％の量で提供される、請求項１３に記載の試験素子。
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
全血から血漿を分離するための複部構成装置であって、
全血を受け入れるための試料採取ユニット（１１；１２）と、
血漿を抽出するための複数の層を備えた層状フィルタを備えたフィルタユニット（１０）と、
部分真空を前記フィルタユニット（１０）内に作り出すための、圧送ユニット、好ましくはプランジャポンプ（２０）とを備える、複部構成装置において、
前記フィルタユニット（１０）、および前記フィルタユニット（１０）に向かって延びる円錐状先端部を有する血漿収集容器（１７）が、フィルタカートリッジ（１３）内に含まれ、
前記血漿収集容器（１７）の前記円錐状先端部（９）が、封止部（１５）を前記フィルタユニット（１０）に向かって突き刺し、前記収集容器（１７）は、その反対側の端部において、前記圧送装置に通じる通路を有する支持要素、好ましくは締め付け封止部（２７）によって保持され、
前記フィルタカートリッジ（１３）が、血漿抽出後に分離可能であり、したがって分析器内への試料投入のために前記血漿収集容器（１７）の前記円錐状先端部（９）を露出させ、
前記フィルタユニット（１０）に向かう前記封止部（１５）および前記フィルタカートリッジ（１３）内の前記支持要素が、補償容積部（２１）を画定し、前記補償容積部（２１）は、空気透過性連結部、たとえば補償開口部（２５）または多孔性膜を介して前記圧送装置に連結されることを特徴とする、複部構成装置。
【請求項２】
前記フィルタカートリッジ（１３）が、円錐状先端部を備えた前記血漿収集容器（１７）を含む血漿アプリケータ（１４）を、前記フィルタユニット（１０）を含む前記フィルタ筺体（８）から引っ張る、螺脱するまたは捩じり取ることによって分離可能であることを特徴とする、請求項１に記載の装置。
【請求項３】
前記圧送装置に通じる前記通路が、疎水性の空気透過性要素（１６）を含むことを特徴とする、請求項１または２に記載の装置。
【請求項４】
前記フィルタユニット（１０）の前記複層の層状フィルタが、深層フィルタ（３）、停止膜（４）および横方向格子（５）を備えることを特徴とする、請求項１から３のいずれか一項に記載の装置。
【請求項５】
前記フィルタカートリッジ（１３）が、プランジャ注射器（１１）内に配設されもしくは組み込まれ、または前記注射器内に挿入可能であることを特徴とする、請求項１から４のいずれか一項に記載の装置。
【請求項６】
前記フィルタカートリッジ（１３）が、Ｍｏｎｏｖｅｔｔｅ（１２）の内部に配設されもしくは組み込まれ、または前記Ｍｏｎｏｖｅｔｔｅ内に挿入可能であることを特徴とする、請求項１から４のいずれか一項に記載の装置。
【請求項７】
血漿抽出前の初期位置にある前記注射器（１１）または前記Ｍｏｎｏｖｅｔｔｅ（１２）の前記プランジャ（１８）が、前記フィルタカートリッジ（１３）の前記支持要素に接して載置し、血漿抽出の終了時に係止位置（２４）に係止することを特徴とする、請求項５に記載の装置。
【請求項８】
全血から血漿を抽出するための、複層フィルタユニット（１０）を備えたフィルタカートリッジ（１３）であって、その内部に、封止部（１５）を前記フィルタユニット（１０）に向かって突き刺す先端部（９）を有する円錐状の血漿収集容器（１７）を有しており、前記血漿収集容器（１７）は、その他方の端部において、支持要素によって、好ましくは締め付け封止部（２７）によって前記フィルタカートリッジ（１３）内に保持され、前記フィルタユニット（１０）に対する前記封止部（１５）および前記フィルタカートリッジ（１３）内の前記支持要素が、補償容積部（２１）を画定し、前記支持要素が、空気透過性の補償開口部（２５）または多孔性膜を有することを特徴とする、フィルタカートリッジ（１３）。
【請求項９】
前記フィルタカートリッジ（１３）が、前記円錐状の血漿収集容器（１７）を含む血漿アプリケータ（１４）を、前記フィルタユニット（１０）を含むフィルタ筺体（８）から引っ張る、捩じり取る、または螺脱することによって分離可能であり、したがって分析器内への試料投入のために前記血漿収集容器（１７）の前記先端部（９）を露出させることを特徴とする、請求項８に記載のフィルタカートリッジ（１３）。
【手続補正２】
【補正対象書類名】図面
【補正対象項目名】全図
【補正方法】変更
【補正の内容】
【図１】
2015527582.tif 000001
【図２】
2015527582.tif 000002
【図３】
2015527582.tif 000003
【図４】
2015527582.tif 000004
【図５】
2015527582.tif 000005
【図６】
2015527582.tif 000006
【図７】
2015527582.tif 000007
【誤訳訂正書】
【提出日】平成28年6月20日(2016.6.20)
【誤訳訂正１】
【訂正対象書類名】明細書
【訂正対象項目名】００３１
【訂正方法】変更
【訂正の内容】
【００３１】
第１層２については、その組成は、好ましくは４％〜８％のスズ、１％〜４％のビスマス、１％〜３％のニッケル、バランス材としての銅である。銅合金は１５０〜４００マイクロメートルの範囲の厚さである。第１層２は鉛を含んでもよいし、含まなくてもよいことに注目すべきである。
【誤訳訂正２】
【訂正対象書類名】特許請求の範囲
【訂正対象項目名】請求項３
【訂正方法】変更
【訂正の内容】
【請求項３】
前記滑り層（５）は、前記ソフトメタルを体積で１％〜１４％、好ましくは１１％〜１４％含むことを特徴とする請求項１に記載の内燃機関用ベアリング。
【手続補正書】
【提出日】平成28年8月23日(2016.8.23)
【手続補正１】
【補正対象書類名】明細書
【補正対象項目名】０００２
【補正方法】変更
【補正の内容】
【０００２】
遊星歯車減速機は従来、同軸の内部太陽歯車および外部太陽歯車を備え、内部太陽歯車はその軸を中心に回転可能であり、外部太陽歯車は静止しており、少なくとも１つの遊星歯車は回転可能であるように遊星キャリアに装着され内部太陽歯車および外部太陽歯車の両方と噛み合い、遊星キャリアは内部太陽歯車および外部太陽歯車の軸を中心に旋回することが可能である。入口は典型的には、「太陽」とも称される内部太陽歯車によって形成され、出口は遊星キャリアによって形成される。外遊星は軌道歯車とも称される。
【手続補正２】
【補正対象書類名】明細書
【補正対象項目名】００１１
【補正方法】変更
【補正の内容】
【００１１】
このために、本発明は、同軸の内部太陽歯車および外部太陽歯車を備える、特にターボ機械用の遊星歯車減速機にして、内部太陽歯車はその軸を中心に回転可能であり、外部太陽歯車は静止しており、少なくとも１つの遊星歯車は回転可能であるように遊星キャリアに装着され内部太陽歯車および外部太陽歯車の両方と噛み合い、遊星キャリアは内部太陽歯車および外部太陽歯車の軸を中心に旋回することが可能であり、遊星歯車は、回転可能であるように遊星キャリアの円筒形表面の周りに装着された円筒形の内表面を有し、減速機は、前記円筒形表面の間の境界面に油を供給するための手段をさらに備える、遊星歯車減速機であって、油供給手段はチャンバを備え、チャンバは、遊星キャリア内に設けられ、油のバッファ容積を形成するように意図され、遊星キャリアの回転軸から離間したいわゆる下部域と、遊星キャリアの回転軸に近いいわゆる上部域と、前記境界面および上部域において開口する少なくとも１つの主要通路と、前記境界面および下部域において開口する少なくとも１つの二次通路とを有することを特徴とする遊星歯車減速機を提供する。
【手続補正３】
【補正対象書類名】明細書
【補正対象項目名】００３１
【補正方法】変更
【補正の内容】
【００３１】
図１および図２は、本発明による遊星歯車減速機１の構造を概略的に示す。遊星歯車減速機は従来、同軸の内部太陽歯車２（太陽とも称される）および外部太陽歯車３（軌道歯車とも称される）を備える。内部太陽歯車２はその軸を中心に回転可能であり、外部太陽歯車３は静止している。減速機は、回転可能であるように遊星キャリア６のピボット５に装着された遊星歯車４をさらに備える。各遊星歯車４は、内部太陽歯車２および外部太陽歯車３の両方と噛み合う。遊星キャリア６は、内部太陽歯車２および外部太陽歯車３の軸Ｘを中心に旋回することが可能である。
【手続補正４】
【補正対象書類名】特許請求の範囲
【補正対象項目名】全文
【補正方法】変更
【補正の内容】
【特許請求の範囲】
【請求項１】
同軸の内部太陽歯車（２）および外部太陽歯車（３）を備える、特にターボ機械用の遊星歯車減速機（１）にして、内部太陽歯車（２）はその軸（Ｘ）を中心に回転可能であり、外部太陽歯車（３）は静止しており、少なくとも１つの遊星歯車（４）は回転可能であるように遊星キャリア（６）に装着され内部太陽歯車（２）および外部太陽歯車（３）の両方と噛み合い、遊星キャリア（６）は内部太陽歯車（２）および外部太陽歯車（３）の軸（Ｘ）を中心に旋回することが可能であり、遊星歯車（４）は、回転可能であるように遊星キャリア（６）の円筒形表面（８）の周りに装着された円筒形の内表面（７）を有し、減速機（１）は、前記円筒形表面（７、８）の間の境界面（９）において油を供給するための手段をさらに備える、遊星歯車減速機であって、油供給手段はチャンバ（１０）を備え、チャンバは、遊星キャリア（６）内に設けられ、油のバッファ容積を形成するように意図され、遊星キャリア（６）の回転軸（Ｘ）から離間したいわゆる下部域（１５）と、遊星キャリア（６）の回転軸（Ｘ）に近いいわゆる上部域（１６）と、前記境界面（９）および上部域（１６）において開口する少なくとも１つの主要通路（１９）と、前記境界面（９）および下部域（１５）において開口する少なくとも１つの二次通路（２０ａ、２０ｂ）とを有することを特徴とする、遊星歯車減速機。
【請求項２】
チャンバ（１０）が実質的に円筒形であることを特徴とする、請求項１に記載の減速機（１）。
【請求項３】
二次通路（２０ａ、２０ｂ）の断面は主要通路（１９）の断面よりも小さいことを特徴とする、請求項１または２に記載の減速機（１）。
【請求項４】
チャンバ（１０）が少なくとも２つの部分（１０ａ、１０ｂ）を備え、部分は互いに対して軸方向にずらされ、チャンバ（１０）の各部分（１０ａ、１０ｂ）の下部域（１５）において開口する少なくとも１つの連通孔（１８）によって一緒に接続されていることを特徴とする、請求項１から３のいずれか一項に記載の減速機（１）。
【請求項５】
チャンバ（１０）の２つの部分（１０ａ、１０ｂ）が隔壁（１２）によって分離されており、隔壁は、両方の部分（１０ａ、１０ｂ）を接続し各部分（１０ａ、１０ｂ）の上部域（１６）において開口する孔（１７）を備え、主要通路（１９）は前記孔（１７）内に開口することを特徴とする、請求項４に記載の減速機（１）。
【請求項６】
二次通路（２０ａ、２０ｂ）が、チャンバ（１０）の最下点（１３）から半径方向に離れた点においてチャンバ（１０）内に開口することを特徴とする、請求項１から５のいずれか一項に記載の減速機（１）。
【請求項７】
二次通路（２０ａ、２０ｂ）が、チャンバ（１０）の内壁（２４）に対して突起する領域（２３）においてチャンバ（１０）内に開口することを特徴とする、請求項６に記載の減速機（１）。
【請求項８】
チャンバ（１０）の最下点（１３）から半径方向に離れた点において、遊星キャリア（６）の回転軸（Ｘ）を通る半径方向平面（Ａ）の両側に開口する少なくとも２つの二次通路（２０ａ、２０ｂ）を備えることを特徴とする、請求項１から７のいずれか一項に記載の減速機（１）。
【請求項９】
各二次通路（２０ａ、２０ｂ）が、チャンバ（１０）の部分（１０ａ、１０ｂ）内に開口することを特徴とする、請求項５および８に記載の減速機（１）。
【請求項１０】
チャンバ（１０）がチャンバ（１０）の下部域（１５）に設けられた溝（２５）を備え、前記溝（２５）は互いから軸方向に離間した少なくとも上部域（２６）および少なくとも下部域（２７）を備え、溝（２５）の下部域（２７）は溝（２５）の上部域（２６）よりも遊星キャリア（６）の回転軸（Ｘ）から半径方向にさらに離れており、溝（２５）の前記下部域（２７）はチャンバ（１０）内の二次通路（２０ａ、２０ｂ）の開口から軸方向に離れていることを特徴とする、請求項１から９のいずれか一項に記載の減速機（１）。